(57)【要約】【課題】音声出力のオン・オフスイッチを合理的に配置し得るキャンセル方式による振動雑音の低減手段を採用したダイナミックマイクロホンを提供すること。【解決手段】マイクロホンユニット１およびマイクロホンユニット１の振動板の背面に連通する背部気室２２を形成する中空体２１が、弾性素材により形成されたショックマウント部材３２，３３を介して、マイクロホンケース１１内に収容されている。前記マイクロホンケース１１の端部に位置する出力コネクタ４１側には、前記マイクロホンケースに対して軸回転が可能な回転操作部４２が配置され、前記回転操作部の回動操作によりオン・オフ制御される音声出力スイッチ（リードスイッチ５２）が、前記出力コネクタ４１と背部気室２２を形成する中空体２１との間に配置されている。【選択図】図１
2014045357.tif 000002
【特許請求の範囲】
【請求項１】
ボイスコイルを備えた振動板および前記ボイスコイルが振動可能に配置される磁気ギャップを備えた磁気回路を含むマイクロホンユニットと、前記マイクロホンユニットに連結され、前記振動板の背面に連通する背部気室を形成する中空体と、前記マイクロホンユニットおよび前記中空体とを収容するマイクロホンケースとが備えられ、前記マイクロホンユニットおよび前記中空体とを前記マイクロホンケース内に弾性支持したダイナミックマイクロホンであって、
前記マイクロホンケースの端部に位置する出力コネクタ側には、前記マイクロホンケースに対して軸回転が可能な回転操作部が配置され、前記回転操作部の回動操作によりオン・オフ制御される音声出力スイッチが、前記出力コネクタと前記背部気室を形成する中空体との間に配置されていることを特徴とするダイナミックマイクロホン。
【請求項２】
前記回転操作部側にマグネットが搭載されると共に、前記マイクロホンケース側にリードスイッチが配置され、前記回転操作部の回動操作に基づく前記マグネットの回転動作によって、前記リードスイッチをオン・オフ制御するように構成され、前記マグネットとリードスイッチとにより前記音声出力スイッチを構成したことを特徴とする請求項１に記載されたダイナミックマイクロホン。
【請求項３】
前記リードスイッチがオンおよびオフ制御される前記マグネットの回転移動位置の２点において、前記回転操作部にクリック機能が施されていることを特徴とする請求項２に記載されたダイナミックマイクロホン。
【請求項４】
前記マグネットが搭載された回転操作部は、前記マイクロホンケースに対して９０度の回動範囲で、往復方向に回動可能に構成されていることを特徴とする請求項２または請求項３に記載されたダイナミックマイクロホン。
【発明の詳細な説明】
【技術分野】
【０００１】
この発明はダイナミックマイクロホンに関し、特に振動板の背面側に背部気室を備えることで、振動雑音を低減させるダイナミックマイクロホンに関する。
【背景技術】
【０００２】
ダイナミックマイクロホンは、振動板に取り付けられたボイスコイルを磁気回路に形成された磁気ギャップ内に配置し、振動板の振動によってボイスコイルに音声電流を生成させることから動電型マイクロホンとも呼ばれている。
このダイナミックマイクロホンは、周知のとおりボーカル用のマイクロホンとして好適に用いられているが、ボイスコイルを備えた振動板を含む振動系の質量が大きいために、マイクロホンケースを手で握って使用する場合には、振動雑音（タッチノイズ）が生成され易いという問題を抱えている。
【０００３】
そこで、この種のダイナミックマイクロホンの多くは、前記振動雑音を低減するための手段を備えている。
その手段の一つとして、マイクロホンケースを握った場合の振動をマイクロホンユニットに伝えにくくするフローティング方式が提案されており、他の一つの手段として、振動板に生ずる慣性力を背部気室に生ずる圧力で相殺するキャンセル方式が提案されている。
【０００４】
図８は、前記したフローティング方式を採用したダイナミックマイクロホンの一例を断面図で示したものである。この例においては、磁気回路およびボイスコイルが取り付けられた振動板等を備えたマイクロホンユニット１が、ゴム等の弾性素材により構成されたショックマウント部材３１を介してマイクロホンケース１１内に取り付けられている。
【０００５】
すなわち、マイクロホンユニット１は、ゴム等の弾性素材によるショックマウント部材３１を介して支持されることで、マイクロホンケース１１側から伝搬する振動を遮断もしくは軽減し、マイクロホンユニット１において生ずる振動雑音を抑えるように作用する。
加えて、図８に示す例においては、マイクロホンユニット１からの音声出力をオン・オフ制御するスライドスイッチ１５が、マイクロホンケース１１のほぼ中央部の側壁に装着されている。
【０００６】
一方、図９は、前記したキャンセル方式を採用したダイナミックマイクロホンの一例を断面図で示したものである。この例においては、図８に示した例と同様のマイクロホンユニット１が用いられ、このマイクロホンユニット１の背面側には、マイクロホンユニットの背部気室２２を構成する中空体２１が取り付けられている。
そして、前記マイクロホンユニット１と前記中空体２１とは、ゴム等の弾性素材により構成された第１と第２のショックマウント部材３２，３３をそれぞれ介して、マイクロホンケース１１内に取り付けられている。
【０００７】
このキャンセル方式を採用したダイナミックマイクロホンによると、振動を受けて例えばマイクロホンの軸方向に重力が加わった場合、振動板およびボイスコイルを含む振動系が慣性力で止どまる作用が働き、前記ボイスコイルが磁気回路に対して相対移動しようとする動作が生ずる。この時、前記中空体２１による背部気室２２に生ずる圧力変化が前記振動板の背面に作用し、結果として前記振動系が磁気回路に対して相対移動するのを抑えるキャンセル作用が発生する。これにより振動雑音の発生を効果的に低減させることが可能となる。
【０００８】
なお、前記したダイナミックマイクロホンにおける振動雑音を低減させるための前者のフローティング方式および後者のキャンセル方式については、次に示す特許文献１に開示されている。
【先行技術文献】
【特許文献】
【０００９】
【特許文献１】特開２０１２−１５６９５号公報
【発明の概要】
【発明が解決しようとする課題】
【００１０】
ところで、後者のキャンセル方式を採用したダイナミックマイクロホンは、前者のフローティング方式を採用したダイナミックマイクロホンに比べて、大幅な振動雑音の低減効果が得られることが知られている。しかしながら、キャンセル方式を採用するには、マイクロホンユニット１の背面側に、背部気室２２を構成するための前記した中空体２１を配置する必要があり、この中空体２１は容積が嵩むためにマイクロホンケース１１の後半部の多くを占める体積となる。
【００１１】
したがって、前記したキャンセル方式を採用したダイナミックマイクロホンにおいては、ケースの側壁に図８に示すように音声出力をオン・オフ制御するスイッチ１５を配置することが難しい。
すなわち、従来における音声出力スイッチを備えたダイナミックマイクロホンは、図８に示すようなフローティング方式が採用され、大幅に振動雑音を低減することができるキャンセル方式を採用したダイナミックマイクロホンに音声出力スイッチを備えたモデルの実現が望まれている。
【００１２】
この発明は、前記した従来のダイナミックマイクロホンにおける問題点に着目してなされたものであり、キャンセル方式を実現する背部気室を構成するための中空体や、この中空体等を支持するショックマウント部材の構成に格別な変更を加えることなく、前記した音声出力のオン・オフスイッチを合理的に配置し得るダイナミックマイクロホンを提供することを課題とするものである。
【課題を解決するための手段】
【００１３】
前記した課題を達成するためになされたこの発明に係るダイナミックマイクロホンは、ボイスコイルを備えた振動板および前記ボイスコイルが振動可能に配置される磁気ギャップを備えた磁気回路を含むマイクロホンユニットと、前記マイクロホンユニットに連結され、前記振動板の背面に連通する背部気室を形成する中空体と、前記マイクロホンユニットおよび前記中空体とを収容するマイクロホンケースとが備えられ、前記マイクロホンユニットおよび前記中空体とを前記マイクロホンケース内に弾性支持したダイナミックマイクロホンであって、前記マイクロホンケースの端部に位置する出力コネクタ側には、前記マイクロホンケースに対して軸回転が可能な回転操作部が配置され、前記回転操作部の回動操作によりオン・オフ制御される音声出力スイッチが、前記出力コネクタと前記背部気室を形成する中空体との間に配置されていることを特徴とする。
【００１４】
この場合、好ましい形態においては、前記回転操作部側にマグネットが搭載されると共に、前記マイクロホンケース側にリードスイッチが配置され、前記回転操作部の回動操作に基づく前記マグネットの回転動作によって、前記リードスイッチをオン・オフ制御するように構成され、前記マグネットとリードスイッチとにより前記音声出力スイッチが構成される。
【００１５】
加えて、前記リードスイッチがオンおよびオフ制御される前記マグネットの回転移動位置の２点において、前記回転操作部にクリック機能が施されていることが望ましい。
また、前記マグネットが搭載された回転操作部は、前記マイクロホンケースに対して９０度の回動範囲で、往復方向に回動可能に構成されていることが望ましい。
【発明の効果】
【００１６】
前記した構成のダイナミックマイクロホンによると、マイクロホンケースの端部に位置する出力コネクタ側には、前記マイクロホンケースに対して軸回転が可能な回転操作部が配置され、前記回転操作部の回動操作によりオン・オフ制御される音声出力スイッチが、前記出力コネクタと背部気室を形成する中空体との間に配置された構成が採用される。
この構成によると、マイクロホンケースの後半部を占める背部気室を形成する中空体に対して格別な加工を施すことなく、音声出力のオン・オフスイッチを配置することが可能となる。したがって、キャンセル方式を採用したダイナミックマイクロホンにおいて、音声出力スイッチを合理的に配置することが可能となる。
【００１７】
また、マイクロホンケースに対して軸回転が可能な回転操作部によって、音声出力のオン・オフスイッチを制御する構成を採用したので、マグネットとリードスイッチとの組み合わせにより、音声出力スイッチを構成することができる。これにより、リードスイッチが保有する耐久性およびオン・オフ動作の信頼性を享受することができるダイナミックマイクロホンを提供することが可能となる。
【図面の簡単な説明】
【００１８】
【図１】この発明に係るダイナミックマイクロホンの全体構成を示した中央断面図である。
【図２】図１に示すダイナミックマイクロホンにおける回転操作部の構成を示した拡大断面図である。
【図３】回転操作部を出力コネクタ側から見た底面図である。
【図４】回転操作部に施されたクリック機構を示した断面図である。
【図５】回転操作部を構成するコネクタ収納体の上面図である。
【図６】音声出力のオン・オフスイッチを構成する回路基板の上面図である。
【図７】マグネットとリードスイッチとの位置関係を説明する回路基板の上面図である。
【図８】従来のフローティング方式を採用したダイナミックマイクロホンの中央断面図である。
【図９】従来のキャンセル方式を採用したダイナミックマイクロホンの中央断面図である。
【発明を実施するための形態】
【００１９】
この発明に係るダイナミックマイクロホンについて、図に示す実施の形態に基づいて説明する。なお、以下に示す各図においては、同一部分を同一符号で示しているが、紙面の都合により一部の図面においては、代表的な部分に符号を付け、詳細な構成は他の図面に付けた符号を引用して説明する場合もある。
【００２０】
図１は、振動雑音を低減させるキャンセル方式を採用したこの発明に係るダイナミックマイクロホンの全体構成を示したものである。
符号１はマイクロホンユニットを示しており、このマイクロホンユニット１は周知のとおり、ボイスコイルを備えた振動板２および前記ボイスコイルが振動可能に配置された磁気ギャップを有する磁気回路３を備えており、このマイクロホンユニット１の前記磁気回路３を構成するヨークの周側面が、円筒状に形成されたホルダー４に嵌め込まれた状態で取り付けられている。
【００２１】
また、前記円筒状のホルダー４を介してマイクロホンユニット１の背部気室２２を形成する中空体２１が接続されている。すなわち、前記中空体２１に囲まれた背部気室２２は、前記マイクロホンユニット１における振動板２の背面に連通するように構成されており、前記中空体２１の末端部には開口２３が施され、この開口には通気抵抗体（開口２３と同一符号で示す。）が取り付けられている。
そして、前記マイクロホンユニット１と前記中空体２１等は、ゴム等の弾性素材により構成された第１と第２のショックマウント部材３２，３３をそれぞれ介して、マイクロホンケース１１内に取り付けられている。
【００２２】
なお、前記したように中空体２１によりマイクロホンユニット１の背部気室２２を形成し、ダイナミックマイクロホンにおける振動雑音を低減させる作用効果は、図９に基づいてすでに説明したとおりである。
加えて、前記中空体２１の外周面には円筒状に形成された錘２４が取り付けられている。この錘２４は、前記マイクロホンユニット１と中空体２１等を含む全体の重心を、弾性素材により形成された一方の主たるショックマウント部材（第１のショックマウント部材）３２の支点に合わせるために配置されている。
【００２３】
これによりマイクロホンユニット１はマイクロホンケース１１内でローリングし難くなり、マイクロホンユニット１のローリングにより発生する振動雑音も低減させるように作用する。なお、図１における符号２６は前記マイクロホンケース１１内を密封するための封止部材である。
【００２４】
図１に示すマイクロホンケース１１の下端部には、３本の接続ピンを備えた出力コネクタ４１が配置されており、出力コネクタ４１を構成する前記３本の接続ピンは、円筒状のコネクタ収納体４２に囲まれた状態で配置されている。
この実施の形態においては、円筒状のコネクタ収納体４２が前記したマイクロホンケース１１に対して、軸回転が可能になされており、このコネクタ収納体４２が回転操作部（コネクタ収納体４２と同一の符号で示す。）を構成している。
【００２５】
図２は、図１に示すマイクロホンケース１１の下端部に配置された回転操作部４２と、この回転操作部４２とマイクロホンケース１１との間に形成された音声出力スイッチの要部を説明するものである。
図２に示すように、出力コネクタ４１を構成する３本の接続ピンは、コネクタ収納体（回転操作部）４２内に配置された絶縁基台４３に取り付けられており、後述するリードスイッチを含む音声出力スイッチを介した音声信号が出力コネクタ４１に導出されるようになされる。
【００２６】
前記マイクロホンケース１１の下端部内周面には、図２に示されたとおりリング状の基板保持具４４が取り付けられており、このリング状の基板保持具４４に対して円板状の回路基板４５が搭載されている。
またリング状の基板保持具４４を介して回転保持用リング４７が、前記したマイクロホンケース１１の下端部に取り付けられており、前記したコネクタ収納体４２の上端部において径を太くした段部が、前記回転保持用リング４７の内周面に接して保持されることで、コネクタ収納体４２はマイクロホンケース１１に対して、軸回転が可能な回転操作部としての機能を果たすように構成されている。
【００２７】
すなわち、この実施の形態においては、図３に示すようにコネクタ収納体としての回転操作部４２は、前記したマイクロホンケース１１に対して矢印ａで示す範囲、すなわち９０度の回動範囲で往復方向に回動可能となるように構成されている。
なお、図２において符号５１は前記回転操作部４２の上端面に配置された棒状のマグネットを示しており、符号５２は前記した回路基板４５に搭載され、前記マグネット５１に対峙するようにして配置されたリードスイッチを示している。
【００２８】
図４〜図６は、回転操作部４２における前記した９０度の回動範囲の規制手段および回転操作部４２の回動動作にクリック機能を付与する例を示したものである。
図４においては、前記した回路基板４５に係止された一対のピン部材５４における半球状の頭部５４ａが、回転操作部４２の上端面に当接した状態を示している。
【００２９】
図５は、前記した回転操作部４２の上端面を示したものであり、この回転操作部４２の上端面には、軸回転方向に９０度の範囲で円弧状の一対の溝部４２ａが軸対称となるように形成されている。
そして、前記一対の溝部４２ａの各端部にはそれぞれ半球状の凹陥部４２ｂが、前記溝部４２ａよりも深く形成されている。
なお、図５に示す符号４２ｃは、前記したマグネット５１が収容される収容凹部を示している。
【００３０】
一方図６は、円形状に形成された回路基板４５を上面から見た状態で示しており、この回路基板４５の軸を中心とした対向位置には、一対のピン挿入孔４５ａが形成されており、このピン挿入孔４５ａに前記したピン部材５４が挿入されて、図４に示したようにピン部材５４の半球状頭部５４ａが、回転操作部４２の上端面に当接される。
そして、各ピン部材５４の半球状頭部５４ａは、図５に示した回転操作部４２の凹陥部４２ｂと、これを結ぶ溝部４２ａの範囲に位置することになる。
【００３１】
すなわち、前記回転操作部４２は、９０度の回動範囲の始端部と終端部において、各ピン部材５４の半球状頭部５４ａが、回転操作部４２に形成された溝部４２ａを経由して凹陥部４２ｂに落ち込む動作がなされるので、ここでクリック作用が発生する。
したがって、クリック動作の発生点が回転操作部４２の回動範囲の終端位置であることを認識することができる。
【００３２】
前記したピン部材５４を支持する回路基板４５には、図６に示されているようにピン部材５４の挿入孔４５ａを挟むようにして、スリット４５ｂがそれぞれ外周縁から切り込まれて形成されている。
この構成により、前記ピン挿入孔４５ａが形成された基板位置にバネ作用を与えることができ、これにより前記回転操作部４２を回動操作した場合の回動動作および前記したクリック動作に良好な感触を与えることができる。
なお、図６に示す回路基板４５に施された符号４５ｃは、前記したリードスイッチ５２の端子挿入孔を示しており、この端子挿入孔４５ｃを利用してリードスイッチ５２が回路基板４５に搭載される。
【００３３】
図７（Ａ）および（Ｂ）は、前記した回転操作部４２を回動操作した場合における前記したマグネット５１とリードスイッチ５２との位置関係を説明する回路基板４５の上面図である。
図７（Ａ）は、回路基板４５に搭載されたリードスイッチ５２の長手方向に、マグネット５１の長手方向が一致するようになされた場合を示している。この場合、前記マグネット５１の長手方向にＮ極およびＳ極が着磁されているので、リードスイッチ５２の対向する接点は異極に励磁され、これにより前記リードスイッチ５２はオン状態になされる。
前記リードスイッチ５２のオン作用により、前記したマイクロホンユニット１からの音声信号はショート状態になされ、結果として出力コネクタ４１からの音声信号の出力は遮断される。
【００３４】
図７（Ｂ）は、前記回転操作部４２を回動操作することにより、前記リードスイッチ５２の長手方向に、マグネット５１の長手方向が直交するようになされた場合を示している。この場合においては、リードスイッチ５２の対向する各接点に対する励磁はなされず、したがってリードスイッチ５２はオフ状態になされる。
リードスイッチ５２がオフ状態になされる結果、前記したマイクロホンユニット１からの音声信号のショート状態は解かれ、出力コネクタ４１から音声信号が出力されるように作用する。
【００３５】
以上説明した実施の形態から明かなとおり、この発明に係るダイナミックマイクロホンの構成によると、マイクロホンケースの後半部を占める背部気室を形成する中空体に対して格別な加工を施すことなく、音声出力のオン・オフスイッチを配置することが可能となる。したがって、キャンセル方式を採用したダイナミックマイクロホンにおいて、音声出力スイッチを合理的に配置することが可能になる等、前記した発明の効果の欄に記載したとおりの作用効果を得ることができる。
【符号の説明】
【００３６】
１      マイクロホンユニット
２      振動板
３      磁気回路
１１    マイクロホンケース
２１    中空体
２２    背部気室
２３    開口（通気抵抗体）
２４    錘
３２    第１ショックマウント部材
３３    第２ショックマウント部材
４１    出力コネクタ
４２    コネクタ収納体（回転操作部）
４２ａ  溝部
４２ｂ  凹陥部
４５    回路基板
４５ａ  ピン挿入孔
４５ｂ  スリット
４５ｃ  リードスイッチ接続孔
５１    マグネット
５２    リードスイッチ（音声出力スイッチ）
５４    ピン部材
５４ａ  半球状頭部
【図１】
2014045357.tif 000003
【図２】
2014045357.tif 000004
【図３】
2014045357.tif 000005
【図４】
2014045357.tif 000006
【図５】
2014045357.tif 000007
【図６】
2014045357.tif 000008
【図７】
2014045357.tif 000009
【図８】
2014045357.tif 000010
【図９】
2014045357.tif 000011